(57)【要約】      （修正有）【課題】さまざまな深さのラック規格に適用可能なスライドレールキット及びそのブラケット装置を提供する。【解決手段】ブラケット装置２４に取り付けられるレール部材２２を有するスライドレールキット２０であって、スライドレールキット２０はブラケット装置２４によりラックに取り付けられる。ブラケット装置２４は第一支持フレーム、第二支持フレーム、第三支持フレーム、取り付けブラケット３８、及び連接部材を有する。第一支持フレームはレール部材２２に連接し、第二支持フレームは第一支持フレームに可動するように連接し、第二支持フレーム、第三支持フレーム及び取り付けブラケット３８は相互に可動するように連接し、且つ相互に支持し合う。取り付けブラケット３８は第一係止部、第二係止部、及び第一係止部と第二係止部との間に位置する穴を有する。【選択図】図１
0003197165.tif 000002
【実用新案登録請求の範囲】
【請求項１】
スライドレールキットのレール部材に適用するブラケット装置であって、
第一支持フレーム、第二支持フレーム、第三支持フレーム、取り付けブラケット、および、連接部材を備え、
前記第一支持フレームは、前記スライドレールキットのレール部材に連接されており、
前記第二支持フレームは、前記第一支持フレームに移動可能に連接されており、
前記第三支持フレームは、前記第二支持フレームに移動可能に連接されており、
前記取り付けブラケットは、前記第三支持フレームに移動可能に連接されており、
前記取り付けブラケットは、側板、前記側板に垂直に連接されている端板、及び、前記端板に連接されている少なくとも１個の取り付け部材を有し、
前記側板は、第一係止部および第二係止部を有し、前記取り付けブラケットの前記側板の前記第一係止部と前記取り付けブラケットの前記側板の前記第二係止部との間に穴が形成されており、
前記連接部材は、前記取り付けブラケットの前記側板の前記穴を貫通し、且つ前記第三支持フレームに連接されていることを特徴とするブラケット装置。
【請求項２】
前記スライドレールキットの前記レール部材は側面をさらに有し、
前記第一支持フレームは、前記スライドレールキットの前記レール部材の前記側面に連接されていることを特徴とする請求項１に記載のブラケット装置。
【請求項３】
突出部材をさらに備え、
前記レール部材は、第一係止部および第二係止部をさらに有し、前記レール部材の前記第一係止部と前記レール部材の前記第二係止部との間に穴が形成されており、
前記突出部材は、前記レール部材の前記穴に貫通されており、且つ前記第二支持フレームに連接することを特徴とする請求項１に記載のブラケット装置。
【請求項４】
前記第二支持フレームおよび前記第三支持フレームは、相互に対応する係止部をそれぞれ有することを特徴とする請求項１に記載のブラケット装置。
【請求項５】
前記取り付けブラケットは、前記側板の両側に形成されている第一屈曲部および第二屈曲部をさらに有し、前記第一屈曲部と前記第二屈曲部との間にブラケット通路が形成されており、
前記スライドレールキットの前記レール部材は、前記ブラケット通路に貫通されており、
前記取り付けブラケットは、前記レール部材に取り付けられており、前記レール部材に相対して移動することを特徴とする請求項１に記載のブラケット装置。
【請求項６】
ラックの第一柱と第二柱に取り付けられるのに用いられるスライドレールキットであって、
２個の部分を有するレール部材と、前記レール部材の２個の部分にそれぞれ取り付けられている二つブラケット装置と、を備え、
前記ブラケット装置は、第一支持フレーム、第二支持フレーム、第三支持フレーム、取り付けブラケット、および、連接部材を有し、
前記第一支持フレームは、前記レール部材に連接されており、
前記第二支持フレームは、前記第一支持フレームに移動可能に連接されており、
前記第三支持フレームは、前記第二支持フレームに移動可能に連接されており、
前記取り付けブラケットは、前記第三支持フレームに移動可能に連接されており、
前記取り付けブラケットは、側板、前記側板に垂直に連接されている端板、及び、前記端板に連接されている少なくとも１個の取り付け部材を有し、
前記側板は、第一係止部および第二係止部を有し、前記取り付けブラケットの前記側板の前記第一係止部と前記取り付けブラケットの前記側板の前記第二係止部との間に穴が形成されており、
前記連接部材は、前記取り付けブラケットの前記側板の前記穴を貫通し、且つ前記第三支持フレームに連接されていることを特徴とするスライドレールキット。
【請求項７】
前記レール部材は側面をさらに有し、
前記第一支持フレームは、前記レール部材の前記側面に連接されていることを特徴とする請求項６に記載のスライドレールキット。    
【請求項８】
前記レール部材は、第一係止部および第二係止部をさらに有し、前記レール部材の前記第一係止部と前記レール部材の前記第二係止部との間に穴が形成されており、
前記ブラケット装置は、突出部材を有し、前記突出部材が前記レール部材の前記穴を通し前記第二支持フレームに連接されていることを特徴とする請求項６に記載のスライドレールキット。
【請求項９】
前記第二支持フレームと前記第三支持フレームとは、相互に対応する係止部をそれぞれ有することを特徴とする請求項６に記載のスライドレールキット。
【請求項１０】
前記取り付けブラケットは、前記側板の両側にそれぞれ連接されている第一屈曲部および第二屈曲部をさらに有し、前記第一屈曲部と前記第二屈曲部との間にブラケット通路が形成されており、
前記レール部材は、前記ブラケット通路を貫通し、
前記取り付けブラケットは、前記レール部材に取り付けられており、前記レール部材に相対して移動することを特徴とする請求項６に記載のスライドレールキット。
【請求項１１】
スライドレールキットのレール部材に適用可能であり、前記レール部材が、上壁、下壁、及び前記レール部材の前記上壁と前記レール部材の前記下壁との間に延伸して連接されている中壁を有するブラケット装置であって、
第一支持フレーム、第二支持フレーム、第三支持フレーム、および、取り付けブラケットを備え、
前記第一支持フレームは、前記レール部材の前記中壁に連接されており、上壁、下壁、前記第一支持フレームの前記上壁と前記第一支持フレームの前記下壁との間を連接かつ延伸する中壁、前記第一支持フレームの前記上壁から下向きに屈曲する第一屈曲部、及び、前記第一支持フレームの前記下壁から上向きに屈曲し前記第一支持フレームの前記第一屈曲部に対応する第二屈曲部を有し、前記第一支持フレームの前記上壁、前記下壁、前記中壁、前記第一屈曲部、及び前記第二屈曲部が共同で案内通路を形成し、
前記第二支持フレームは、前記第一支持フレームの前記案内通路内に位置し、上壁、下壁、前記第二支持フレームの前記上壁と前記第二支持フレームの前記下壁との間を連接かつ延伸する中壁、前記第二支持フレームの前記上壁から下向きに屈曲する第一屈曲部、及び、前記第二支持フレームの前記下壁から上向きに屈曲する第二屈曲部を有し、前記第二支持フレームの前記上壁が前記第一支持フレームの前記上壁に位置し、前記第二支持フレームの前記下壁が前記第一支持フレームの前記下壁に位置し、前記第二支持フレームの前記中壁が前記第一支持フレームの前記中壁に位置し、前記第二支持フレームの前記上壁、前記下壁、前記中壁、前記第一屈曲部、及び前記第二屈曲部が共同で案内通路を形成し、
前記第三支持フレームは、前記第二支持フレームの前記案内通路内に位置し、第一屈曲部、第二屈曲部、及び、前記第三支持フレームの前記第一屈曲部と前記第三支持フレームの前記第二屈曲部との間を連接かつ延伸する中壁を有し、前記第三支持フレームの前記第一屈曲部が前記第二支持フレームの前記上壁に位置し、前記第三支持フレームの前記第二屈曲部が前記第二支持フレームの前記下壁に位置し、
前記取り付けブラケットは、前記第三支持フレームに隣り合う前記中壁に位置する側板、前記側板の両側にそれぞれ連接されている上壁および下壁、前記取り付けブラケットの前記上壁から下向きに屈曲する第一屈曲部、ならびに、前記取り付けブラケットの前記下壁から上向きに屈曲する第二屈曲部を有し、前記取り付けブラケットの前記側板、前記上壁、及び前記下壁が収納空間を共同で形成し、前記収納空間が、前記第一支持フレーム、前記第二支持フレーム、及び前記第三支持フレームを収納し、前記取り付けブラケットの前記第一屈曲部と前記取り付けブラケットの前記第二屈曲部との間にブラケット通路が形成されており、前記ブラケット通路に前記レール部材が貫通して設置されており、前記取り付けブラケットの前記第一屈曲部が前記レール部材の前記上壁に対応し、前記取り付けブラケットの前記第二屈曲部が前記レール部材の前記下壁に対応することを特徴とするブラケット装置。
【請求項１２】
前記スライドレールキットの前記レール部材の前記中壁は側面をさらに有し、
前記第一支持フレームは、前記レール部材の前記中壁の前記側面に連接されていることを特徴とする請求項１１に記載のブラケット装置。
【請求項１３】
突出部材をさらに備え、
前記レール部材は第一係止部および第二係止部をさらに有し、前記レール部材の前記第一係止部と前記レール部材の前記第二係止部との間に穴が形成されており、
前記突出部材は、前記レール部材の前記穴に貫通されており、且つ前記第二支持フレームに連接されていることを特徴とする請求項１１に記載のブラケット装置。
【請求項１４】
前記第二支持フレームと前記第三支持フレームとは、相互に対応する係止部をそれぞれ有することを特徴とする請求項１１に記載のブラケット装置。
【請求項１５】
連接部材をさらに備え、
前記取り付けブラケットの前記側板は、第一係止部および第二係止部をさらに有し、前記取り付けブラケットの前記第一係止部と前記取り付けブラケットの前記第二係止部との間に穴が形成されており、
前記連接部材は、前記取り付けブラケットの前記側板の前記穴を通り、且つ前記第三支持フレームに連接されていることを特徴とする請求項１１に記載のブラケット装置。
【考案の詳細な説明】
【技術分野】
【０００１】
本考案はスライドレールキット及びそのブラケット装置に関する。
【背景技術】
【０００２】
一般的に言えば、ラック式サーバーシステムの中で、スライドレールキットは前、後２個の位置にそれぞれブラケットを取り付けられる。
これにより、スライドレールキットは、２個のブラケットにより、ラック（ｒａｃｋ）の２個の柱に取り付けられる。
【０００３】
しかしながら、システムの設計、或いは他の素因に対する考慮により、２個の柱間の距離は、さまざまなである。
そのため、調整可能なブラケットが、市場で求められている。
特許文献１及び特許文献２に開示する調整ブラケットが知られている。
【先行技術文献】
【特許文献】
【０００４】
【特許文献１】米国特許公開第ＵＳ８０２８９６５Ｂ２号明細書
【特許文献２】米国特許公開第ＵＳ８７２１０１２Ｂ２号明細書
【考案の概要】
【考案が解決しようとする課題】
【０００５】
本考案の目的は、さまざまな深さのラック規格に適用可能なスライドレールキットのブラケット装置を提供することにある。
【課題を解決するための手段】
【０００６】
ブラケット装置は、スライドレールキットのレール部材に適用し、ブラケット装置は、第一支持フレーム、第二支持フレーム、第三支持フレーム、取り付けブラケット、及び連接部材を有する。
第一支持フレームは、スライドレールキットのレール部材に連接する。
第二支持フレームは、第一支持フレームに可動するように連接する。
第三支持フレームは、第二支持フレームに可動するように連接する。
取り付けブラケットは、第三支持フレームに可動するように連接し、取り付けブラケットは、側板、側板におおよそ垂直に連接する端板、及び端板に連接する少なくとも１個の取り付け部材を有する。
側板は、第一係止部と第二係止部を有する。
第一係止部と第二係止部との間には、穴が形成されている。
連接部材は、取り付けブラケットの側板の穴を通り、且つ第三支持フレームに連接する。
【０００７】
最も好ましくは、スライドレールキットのレール部材はさらに、側面を有し、第一支持フレームは、スライドレールキットのレール部材の側面に連接する。
【０００８】
最も好ましくは、レール部材はさらに、第一係止部と第二係止部を有する。
レール部材の第一係止部とレール部材の第二係止部との間には、穴が形成されており、ブラケット装置はさらに、突出部材を有する。
突出部材は、レール部材の穴に貫通されており、且つ第二支持フレームに連接する。
【０００９】
最も好ましくは、第二支持フレームと第三支持フレームは、相互に対応する係止部をそれぞれ有する。
【００１０】
最も好ましくは、取り付けブラケットは、側板の両側にそれぞれ連接する第一屈曲部と第二屈曲部側板をさらに有し、第一屈曲部と第二屈曲部との間には、ブラケット通路を有し、スライドレールキットのレール部材は、ブラケット通路に貫通されており、これにより、取り付けブラケットは、レール部材に取り付けられ、レール部材に相対して移動する。
【００１１】
本考案によるもう一つのスライドレールキットは、２個の部分を有するレール部材を有し、及びブラケット装置ともう一つのブラケット装置は、レール部材の２個の部分にそれぞれ取り付けられ、これによりスライドレールキットは、ラックの第一柱と第二柱に取り付けられる。
ブラケット装置は、第一支持フレーム、第二支持フレーム、第三支持フレーム、取り付けブラケット、及び連接部材を有する。
第一支持フレームは、スライドレールキットのレール部材に連接する。
第二支持フレームは、第一支持フレームに可動するように連接する。
第三支持フレームは、第二支持フレームに可動するように連接する。
取り付けブラケットは、第三支持フレームに可動するように連接し、取り付けブラケットは、側板、側板におおよそ垂直に連接する端板、及び端板に連接する少なくとも１個の取り付け部材を有する。
側板は、第一係止部と第二係止部を有し、側板の第一係止部と側板の第二係止部との間には、穴が形成されている。
連接部材は、取り付けブラケットの側板の穴を通り、且つ第三支持フレームに連接する。
【００１２】
最も好ましくは、レール部材はさらに、側面を有し、第一支持フレームは、レール部材の側面に連接する。
【００１３】
最も好ましくは、レール部材はさらに、第一係止部と第二係止部を有する。
レール部材の第一係止部とレール部材の第二係止部との間には、穴が形成されており、ブラケット装置はさらに、突出部材を有する。
突出部材は、レール部材の穴に貫通されており、且つ第二支持フレームに連接する。
【００１４】
最も好ましくは、第二支持フレームと第三支持フレームは、相互に対応する係止部をそれぞれ有する。
【００１５】
最も好ましくは、取り付けブラケットは、側板の両側にそれぞれ連接する第一屈曲部と第二屈曲部側板をさらに有し、第一屈曲部と第二屈曲部との間には、ブラケット通路を有し、スライドレールキットのレール部材は、ブラケット通路に通す。
これにより、取り付けブラケットは、レール部材に取り付けられ、レール部材に相対して移動する。
【００１６】
本考案によるもう一つのブラケット装置は、スライドレールキットのレール部材に適用し、レール部材は、上壁、下壁、及びレール部材の上壁とレール部材の下壁との間に延伸して連接する中壁を有する。
ブラケット装置は、第一支持フレーム、第二支持フレーム、第三支持フレーム、及び取り付けブラケットを有する。
第一支持フレームは、レール部材の中壁に連接し、第一支持フレームは、上壁、下壁、第一支持フレームの上壁と第一支持フレームの下壁との間に延伸して連接する中壁、第一支持フレームの上壁から下向きに屈曲する第一屈曲部、及び第一支持フレームの下壁から上向きに屈曲し第一支持フレームの第一屈曲部に対応する第二屈曲部を有し、第一支持フレームの上壁、下壁、中壁、第一屈曲部、及び第二屈曲部は、共同で案内通路が形成されている。
第二支持フレームは、第一支持フレームの案内通路内に位置する。
第二支持フレームは、上壁、下壁、第二支持フレームの上壁と第二支持フレームの下壁との間に延伸して連接する中壁、第二支持フレームの上壁から下向きに屈曲する第一屈曲部、及び第二支持フレームの下壁から上向きに屈曲する第二屈曲部を有する。
第二支持フレームの上壁は、第一支持フレームに隣り合う案内通路内の上壁に位置する。
第二支持フレームの下壁は、第一支持フレームに隣り合う案内通路内の下壁の位置にあり、第二支持フレームの中壁は、第一支持フレームに隣り合う案内通路内の中壁の位置にあり、第二支持フレームの上壁、下壁、中壁、第一屈曲部、及び第二屈曲部は、共同で案内通路が形成されている。
第三支持フレームは、第二支持フレームの案内通路内に位置し、第三支持フレームは、第一屈曲部、第二屈曲部、及び第三支持フレームの第一屈曲部と第三支持フレームの第二屈曲部との間に延伸して連接する中壁を有し、第三支持フレームの第一屈曲部は、第二支持フレームに隣り合う案内通路内の上壁の位置にあり、第三支持フレームの第二屈曲部は、第二支持フレームに隣り合う案内通路内の下壁に位置する。
取り付けブラケットは、第三支持フレームに隣り合う中壁の位置にある側板、側板の両側にそれぞれ連接する上壁と下壁、取り付けブラケットの上壁から下向きに屈曲する第一屈曲部、及び取り付けブラケットの下壁から上向きに屈曲する第二屈曲部を有する。
取り付けブラケットの側板、上壁、及び下壁は、収納空間を共同で形成し、第一支持フレーム、第二支持フレーム、及び第三支持フレームを収納する。
取り付けブラケットの第一屈曲部と取り付けブラケットの第二屈曲部との間には、ブラケット通路を形成し、レール部材２２を貫通して設置する。
取り付けブラケットの第一屈曲部は、レール部材の上壁に対応し、取り付けブラケットの第二屈曲部は、レール部材の下壁に対応する。
【００１７】
最も好ましくは、スライドレールキットのレール部材の中壁はさらに、側面を有し、第一支持フレームは、レール部材の中壁の側面に連接する。
【００１８】
最も好ましくは、レール部材はさらに、第一係止部と第二係止部を有する。
レール部材の第一係止部とレール部材の第二係止部との間には、穴が形成されており、ブラケット装置はさらに、突出部材を有する。
突出部材は、レール部材の穴に貫通し、且つ第二支持フレームに連接する。
【００１９】
最も好ましくは、第二支持フレームと第三支持フレームは、相互に対応する係止部をそれぞれ有する。
【００２０】
最も好ましくは、取り付けブラケットの側板はさらに、第一係止部と第二係止部を有する。取り付けブラケットの第一係止部と取り付けブラケットの第二係止部との間には、穴が形成されており、ブラケット装置はさらに、連接部材を有する。
連接部材は、取り付けブラケットの側板の穴を通り、且つ第三支持フレームに連接する。
【００２１】
本考案の実施形態を応用する特徴の一つは、スライドレールキットのブラケット装置は、さまざまな深さのラック規格に適用可能である。
【図面の簡単な説明】
【００２２】
【図１】本考案の一実施形態によるスライドレールキットがブラケット装置を有する状態を示す斜視図である。
【図２】本考案の一実施形態によるブラケット装置を示す分解斜視図である。
【図３】本考案の一実施形態によるブラケット装置を示す組合せ断面図である。
【図４】図１の４−４線断面図である。
【図５】本考案の一実施形態によるスライドレールキットがブラケット装置によりラックに取り付けられる状態を示す斜視図である。
【図６Ａ】本考案の一実施形態による取り付けブラケットがスライドレールキットのレール部材に相対し第一位置に位置する状態を示す模式図である。
【図６Ｂ】本考案の一実施形態による取り付けブラケットが調整されスライドレールキットのレール部材に相対し第二位置へ移動する状態を示す模式図である。
【図６Ｃ】本考案の一実施形態による取り付けブラケットが調整されスライドレールキットのレール部材に相対し第三位置へ移動する状態を示す模式図である。
【図６Ｄ】本考案の一実施形態による取り付けブラケットが調整されスライドレールキットのレール部材に相対し第四位置へ移動する状態を示す模式図である。
【図７】本考案の一実施形態によるスライドレールキットがブラケット装置によりもう一つのラックに取り付けられる状態を示す模式図である。
【考案を実施するための形態】
【００２３】
（一実施形態）
図１に示すとおり本考案の一実施形態によるスライドレールキット２０は、レール部材２２を有する。
レール部材２２は、２個の部分（例えば、前部と後部）を有し、ブラケット装置２４ともう一つのブラケット装置２６をそれぞれ取り付けられる。
下文中では、ブラケット装置２４について説明し、本考案実施形態の特徴について示す。
【００２４】
図２及び図３に示すとおり、一実施形態では、レール部材２２は、第一係止部２８ａと第二係止部２８ｂを有する。
第一係止部２８ａと第二係止部２８ｂとの間には、穴３０が形成されている。
ブラケット装置２４は、第一支持フレーム３２、第二支持フレーム３４、第三支持フレーム３６、及び取り付けブラケット３８を有する。
【００２５】
第一支持フレーム３２は、レール部材２２に固定するように連接する。
例えば、複数の定位部材４０により、レール部材２２の側面４２（例えば、背面）に固定するように連接され、レール部材２２に隣り合う第一係止部２８ａに位置する。
第一支持フレーム３２は、レール部材２２に固定するように連接するため、第一支持フレーム３２は、レール部材２２の一部分に見做される。
第一支持フレーム３２は、溶接、螺接或いは係合接続等の他の連接手段により、レール部材２２に連接するが、実施上これに限定しない。
【００２６】
第二支持フレーム３４は、第一支持フレーム３２に可動するように連接する。
第二支持フレーム３４は、第一部分４４ａ、第一部分４４ａと位置が相対する第二部分４４ｂ、及び第一部分４４ａと第二部分４４ｂとの間に位置する係止部４６を有する。
第一部分４４ａは、第一支持フレーム３２に可動するように連接する。
第二部分４４ｂは、レール部材２２の穴３０に対応する。
第二部分４４ｂは、突出部材４８を有する。
【００２７】
突出部材４８は、第二部分４４ｂより成形され、或いは本実施形態のように、突出部材４８は、独立した構成部材とすることもできる。
突出部材４８の一部分を、レール部材２２の穴３０に通すことで、第二部分４４ｂを連接する。
突出部材４８の他の部分は、レール部材２２の第一係止部２８ａと第二係止部２８ｂとの間に位置が限定される。
よって、第二支持フレーム３４は、第一支持フレーム３２に相対し、穴３０の進行ルートに基づき、限度を備えた調整移動を行う。
最も好ましくは、係止部４６は、第二部分４４ｂに隣り合って位置する。
【００２８】
第三支持フレーム３６は、第二支持フレーム３４に可動するように連接する。
第三支持フレーム３６は、第一部分５０ａ、位置が第一部分５０ａに相対する第二部分５０ｂ、及び第一部分５０ａと第二部分５０ｂとの間に位置する係止部５２を有する。
係止部５２の位置は、第二支持フレーム３４の係止部４６に対応する。
【００２９】
取り付けブラケット３８は、第三支持フレーム３６に可動するように連接される。
取り付けブラケット３８は、側板５４、側板５４におおよそ垂直に連接する端板５６、及び端板５６に連接する少なくとも１個の取り付け部材５８を有する。
ここでは、２個の取り付け部材５８を例とする。
一実施形態中では、側板５４はさらに、第一係止部６０ａと第二係止部６０ｂを有する。
第一係止部６０ａと第二係止部６０ｂとの間には、穴６２が形成されている。
【００３０】
第三支持フレーム３６は、連接部材６４を有する。
連接部材６４は、第三支持フレーム３６より成形され、或いは本実施形態のように、連接部材６４は、独立した構成部材とすることもできる。
連接部材６４の一部分を側板５４の穴６２に通すことで、第三支持フレーム３６に連接する。
これにより、連接部材６４の他の部分は、側板５４の第一係止部６０ａと第二係止部６０ｂとの間に位置を限定される。
よって、取り付けブラケット３８は、第三支持フレーム３６に相対し、穴６２の進行ルートに基づき、限度を備えた調整移動を行う。
【００３１】
図４にさらに示すとおり、レール部材２２は、上壁６６ａ、下壁６６ｂ、及び上壁６６ａと下壁６６ｂとの間に延伸して連接する中壁６８を有する。
【００３２】
第一支持フレーム３２は、上壁７０ａ、下壁７０ｂ、上壁７０ａと下壁７０ｂとの間に延伸して連接する中壁７２、上壁７０ａから下向きに屈曲する第一屈曲部７４ａ、及び下壁７０ｂから上向きに屈曲し第一屈曲部７４ａに対応する第二屈曲部７４ｂを有する。
上壁７０ａ、下壁７０ｂ、中壁７２、第一屈曲部７４ａ、及び第二屈曲部７４ｂは、共同で案内通路７６を形成する。
第一支持フレーム３２は、中壁７２により、レール部材２２の中壁６８の側面４２に固定するように連接される。
【００３３】
第二支持フレーム３４は、第一支持フレーム３２の案内通路７６内に位置する。
第二支持フレーム３４は、上壁７８ａ、下壁７８ｂ、上壁７８ａと下壁７８ｂとの間に延伸して連接する中壁８０、上壁７８ａから下方へと屈曲する第一屈曲部８２ａ、及び下壁７８ｂから上向きに屈曲し第一屈曲部７４ａに対応する第二屈曲部８２ｂを有する。
上壁７８ａ、下壁７８ｂ、中壁８０、第一屈曲部８２ａ、及び第二屈曲部８２ｂは、共同で案内通路８４を形成する。
上壁７８ａはさらに、反対に折れて中壁８０に隣り合う上部に押圧し、且つ第一支持フレーム３２に隣り合う案内通路７６内の上壁７０ａに位置し、上支持効果を形成する。
下壁７８ｂはさらに、反対に折れて中壁８０に隣り合う下部に押圧し、且つ第一支持フレーム３２に隣り合う案内通路７６内の下壁７０ｂに位置し、下支持効果を形成する。
中壁８０は、第一支持フレーム３２に隣り合う案内通路７６内の中壁７２に位置し、中間支持効果を有する。
【００３４】
第三支持フレーム３６は、第二支持フレーム３４の案内通路８４内に位置する。
第三支持フレーム３６は、第一屈曲部８６ａ、第二屈曲部８６ｂ、及び第一屈曲部８６ａと第二屈曲部８６ｂとの間に延伸して連接する中壁８８を有する。
第一屈曲部８６ａは、中壁８８から上向きに屈曲し、且つ第二支持フレーム３４に隣り合う案内通路８４内の上壁７８ａに位置し、上支持効果を形成する。
第二屈曲部８６ｂは、中壁８８から下向きに屈曲し、且つ第二支持フレーム３４に隣り合う案内通路８４内の下壁７８ｂに位置し、下支持効果を形成する。
中壁８８は、取り付けブラケット３８に隣り合う側板５４の位置にあり、（すなわち、取り付けブラケット３８の側板５４は第三支持フレーム３６に隣り合う中壁８８の位置にある）、中間支持効果を形成する。
【００３５】
取り付けブラケット３８は、側板５４の両側にそれぞれ連接する上壁９０ａと下壁９０ｂ、上壁９０ａから下向きに屈曲する第一屈曲部９２ａ、及び下壁９０ｂから上向きに屈曲し第一屈曲部９２ａに対応する第二屈曲部９２ｂを有する。
側板５４、上壁９０ａ、及び下壁９０ｂは、収納空間９４を共同で形成し、第一支持フレーム３２、第二支持フレーム３４、及び第三支持フレーム３６を収納することができる。
第一屈曲部９２ａと第二屈曲部９２ｂとの間には、ブラケット通路９６を形成し、レール部材２２を貫通して設置する。
【００３６】
第一屈曲部９２ａは、レール部材２２の上壁６６ａを挟持でき、上支持効果を形成する。
第二屈曲部９２ｂは、レール部材２２の下壁６６ｂを挟持でき、下支持効果を形成する。
これにより、取り付けブラケット３８は、レール部材２２に相対して移動し、より堅固な支持効果を備える。
且つ第一支持フレーム３２、第二支持フレーム３４、及び／或いは第三支持フレーム３６相互間の調整移動は、さらに堅固な支持効果を有する。
【００３７】
図５に示すとおり、スライドレールキット２０は、ブラケット装置２４ともう一つのブラケット装置２６により、ラック（ｒａｃｋ）の第一柱９８ａと第二柱９８ｂに取り付けられる。
具体的には、第一柱９８ａと第二柱９８ｂとの間に、第一距離Ｄ１を有する時、もう一つのブラケット装置２６は、第二柱９８ｂに取り付けられ、ブラケット装置２４の取り付けブラケット３８が調整され、ブラケット装置２４の取り付けブラケット３８ともう一つのブラケット装置２６との間の距離は調整されて第一距離Ｄ１に対応する。
こうして、取り付けブラケット３８は、取り付け部材５８により第一柱９８ａに取り付けられる。
【００３８】
図６Ａは、ブラケット装置２４の取り付けブラケット３８はレール部材２２に相対し第一位置Ｐ１にある状態を示す。
この時、連接部材６４は、取り付けブラケット３８に隣り合う穴６２内の第二係止部６０ｂに位置する。
【００３９】
図６Ｂは、取り付けブラケット３８が一方向（矢印参照）へと調整されレール部材２２に相対し、第一位置Ｐ１から第二位置Ｐ２へと移動する状態を示す。
取り付けブラケット３８の第一係止部６０ａと連接部材６４とは、相互に係止する。
【００４０】
図６Ｃは、取り付けブラケット３８が使用者の必要に応じて継続的に調整され、レール部材２２に相対し、第二位置Ｐ２から第三位置Ｐ３へと移動する状態を示す。
第三支持フレーム３６は既に連接部材６４により連動されているため、第三支持フレーム３６の係止部５２と第二支持フレーム３４の係止部４６とは、相互に係止する。
【００４１】
図６Ｄは、取り付けブラケット３８が使用者の必要に応じて、さらに継続的に調整され、レール部材２２に相対し、第三位置Ｐ３から第四位置Ｐ４へと移動するよう体を示す。
第三支持フレーム３６は、係止部５２により、第二支持フレーム３４の係止部４６に押圧され、第二支持フレーム３４を連動する。
これにより、第二支持フレーム３４は突出部材４８を連動し、突出部材４８はレール部材２２の穴３０内の第一係止部２８ａから隣り合う第二係止部２８ｂへと移動する。
【００４２】
図７は、第一柱９８ａと第二柱９８ｂとの間に、第二距離Ｄ２を有する時、もう一つのブラケット装置２６が第二柱９８ｂに取り付けられる状態を示す。
一方、ブラケット装置２４の取り付けブラケット３８は、使用者の必要に応じて必要な位置へと調整される。
これにより、ブラケット装置２４の取り付けブラケット３８ともう一つのブラケット装置２６との間は、調整されて、第二距離Ｄ２に対応する。
【００４３】
上記により明らかなように、本実施形態は、ブラケット装置２４の調整可能設計により、さまざまな深さのラック規格に対応することができる。
特に、ブラケット装置２４が調整され展開すると、第一支持フレーム３２、第二支持フレーム３４、第三支持フレーム３６、レール部材２２、及び取り付けブラケット３８の相互間には、継続した支持効果を有する。
こうして、展開時の支持の堅固性を確保することができる。
【符号の説明】
【００４４】
２０  スライドレールキット、
２２  レール部材、
２４  ブラケット装置、
２６  もう一つのブラケット装置、
２８ａ、６０ａ  第一係止部、
２８ｂ、６０ｂ  第二係止部、
３０、６２  穴、
３２  第一支持フレーム、
３４  第二支持フレーム、
３６  第三支持フレーム、
３８  取り付けブラケット、
４０  定位部材、
４２  側面、
４４ａ、５０ａ  第一部分、
４４ｂ、５０ｂ  第二部分、
４６、５２  係止部、
４８  突出部材、
５４  側板、
５６  端板、
５８  取り付け部材、
６４  連接部材、
６６ａ、７０ａ、７８ａ、９０ａ  上壁、
６６ｂ、７０ｂ、７８ｂ、９０ｂ  下壁、
６８、７２、８０、８８  中壁、
７４ａ、８２ａ、８６ａ、９２ａ  第一屈曲部、
７４ｂ、８２ｂ、８６ｂ、９２ｂ  第二屈曲部、
７６、８４  案内通路、
９４  収納空間、
９６  ブラケット通路、
９８ａ  第一柱、
９８ｂ  第二柱、
Ｄ１  第一距離、
Ｄ２  第二距離、
Ｐ１  第一位置、
Ｐ２  第二位置、
Ｐ３  第三位置、
Ｐ４  第四位置。
【図１】
0003197165.tif 000003
【図２】
0003197165.tif 000004
【図３】
0003197165.tif 000005
【図４】
0003197165.tif 000006
【図５】
0003197165.tif 000007
【図６Ａ】
0003197165.tif 000008
【図６Ｂ】
0003197165.tif 000009
【図６Ｃ】
0003197165.tif 000010
【図６Ｄ】
0003197165.tif 000011
【図７】
0003197165.tif 000012